(57)【特許請求の範囲】
【請求項１】
所定幅と厚みとを有し、取付け幅を残して長さ方向に所定間隔で切り込みが設けられている帯状の水膨潤性不織布が、パイプ外周に１周以上巻回され、
この水膨潤性不織布の外周には、所定幅と厚みとを有し、取付け幅を残して長さ方向に所定間隔で切り込みが設けられている帯状の耐蝕性金属板が取付け幅を合せた状態で一周巻回され、
この巻回された耐蝕性金属板の取付け幅の外周が締付具によりパイプ外周に締め付けられており、
水膨潤性不織布は、上方が切り込みから傘状に開いた耐蝕性金属板の内側で膨潤して上方から開き、
水膨潤性不織布の上方に削孔の壁面からの土砂が溜って壁面との間が充填されるように配置されることを特徴とする遮水用パッカー。
【請求項２】
前記耐蝕性金属板はステンレス鋼製であることを特徴とする請求項１記載の遮水用パッカー。
【発明の詳細な説明】
【０００１】
【発明の属する技術分野】
本発明は、井戸堀り、水抜き孔等のボーリング孔と挿入管との隙間を充填する際に使用する遮水用パッカーに関するものである。
【０００２】
【従来の技術】
従来の遮水用パッカー１０は、実公昭平１−１８７１９号に開示されているような構造になっており、図４の（ａ）に示すように全体が帯状をなす吸水膨張性高分子材料１１（例えばアクリル酸・ビニルアルコール共重合体を主成分とし、これにエチレン・酢酸ビニルアルコール、ゴム等を配合混練したものが特に有効である）からなり、その少なくとも一方の面に、長手方向に連続して延びる凸条１２が幅方向に複数本形成されたもので、これを筒状体１４の所定の位置に所定回数巻き付け、これを図４の（ｂ）に示すように、孔１５内の遮水すべき所定の深度まで挿入し、そのまま放置するものである。
【０００３】
【発明が解決しようとする課題】
しかるに、吸水膨張性高分子材料１１は膨張しきるまで３〜４時間も要するだけでなく、上下端をビニールテープで押さえ、更に鉄線でその上を締め付け使用するので、地盤に削孔された孔１５に挿入された状態で膨張すると、長時間を経た場合、孔１５の内側の土砂に圧接して形がくずれるおそれがあった。
【０００４】
また、遮水用パッカー１０の上方に土砂が溜ると一層遮水用パッカー１０のくずれが助長される傾向があった。さらに、セメントミルクでは極端に膨張倍率が低下した。
【０００５】
本発明は前述した事情に鑑みてなされたものであり、地盤に削孔された孔内で長期間くずれることなく安定して使用できる遮水用パッカーを提供するものである。
【０００６】
【課題を解決するための手段】
本発明の遮水用パッカーは所定幅と厚みとを有し、取付け幅を残して長さ方向に所定間隔で切り込みが設けられている帯状の水膨潤性不織布が、パイプ外周に１周以上巻回され、この水膨潤性不織布の外周には、所定幅と厚みとを有し、取付け幅を残して長さ方向に所定間隔で切り込みが設けられている帯状の耐蝕性金属板が取付け幅を合せた状態で一周巻回され、この巻回された耐蝕性金属板の取付け幅の外周が締付具によりパイプ外周に締め付けられており、水膨潤性不織布は、上方が切り込みから傘状に開いた耐蝕性金属板の内側で膨潤して上方から開き、水膨潤性不織布の上方に削孔の壁面からの土砂が溜って壁面との間が充填されるように配置されることを特徴とする。
【０００７】
また、前記耐蝕性金属板はステンレス鋼製であることを特徴とする。
【０００８】
【発明の実施の形態】
以下添付図に基づいて本発明の実施の形態を説明する。
図１は本発明の一実施の形態を示す正面図、図２は本発明に使用される部品の展開図で、（ａ）は水膨潤性不織布、（ｂ）は耐蝕性金属板、図３は本発明の遮水用パッカーの使用状態の説明図である。
【０００９】
本発明の遮水用パッカー２０は、まず図１に示すパイプ２４の外周に、図２の（ａ）に示す帯状の水膨潤性不織布２１が１周以上巻回される。図１では３回巻かれている。このパイプ２４は例えばＶＰ５０（硬質塩化ビニール管）とすると、外径は６０φで、膨張した寸法から計算と実験により、所定厚さの水膨潤性不織布２１が巻回される。この水膨潤性不織布２１の材質は、例えばポリアクリル酸エステル高分子吸収材繊維でできており、水を含むと２０分位で３倍程度に膨張する。そして、セメントミルク等でも同じように膨張する。
この水膨潤性不織布２１は図２の（ａ）に示すように、取付け幅２２を残して長さ方向に間隔Ｐで複数の切り込み２３が入れてある。
【００１０】
次に、図２の（ｂ）に示す所定厚さで帯状の耐蝕性金属板２５が取付け幅２２，２２を合わせた状態で（図１）前述の水膨潤性不織布２１の上に一周巻回される。この耐蝕性金属板２５はステンレス鋼板が適しているが、他に燐青銅板や眞鍮板等でも良い。
この耐蝕性金属板２５は、前述の水膨潤性不織布２１と同様に、取付け幅２２を残して長さ方向に間隔Ｌで複数の切り込み２６が入れてある。
【００１１】
次に、巻回された耐蝕性金属板２５の取付け幅２２の外周からパイプ２４にかけて粘着性ビニールテープ２７を巻回する。
但し、粘着性ビニールテープ２７を巻回するのは、作業し易くするためであって、巻回しないでも良い。
【００１２】
次に、取付け幅２２の外周にステンレス線２８を巻いてパイプ２４外周に締めつける。この場合、ステンレス線２８の代りに締付け具のついたバンドを用いても良い。
【００１３】
本発明の遮水用パッカー２０を深井戸に用いた場合について説明する。
最近、地震時の対策や水道水の汚れ等から井戸掘りが行われることが多くなっている。
しかし、１０〜２０ｍ程度の深さの井戸では、汚染物質が流れ込んでいることが多いので、５０ｍ程度の深井戸が施工されることが多い。
この場合、地表近くからの汚染物質を途中で遮断する必要がある。
【００１４】
図３は５０ｍ程度の深井戸に本発明の遮水用パッカー２０を使用した場合の説明図で、保護パイプ３１における地表近くと、途中と、下端のストレーナ３２の上方にそれぞれ遮水用パッカー２０が使用されている。図において３１ｂはパイプ接続用のソケットである。
例えば地表近くの表土と、その下方の粘土層とで１０ｍ程度の表層Ａが形成され、地表よりの汚染水が浸透するのでこの位置に遮水用パッカー２０が０．５〜１ｍの距離でダブルに取り付けられ、かつ、その上部はセメントミルク３３で固定されており、地表よりの汚染水の浸入を防いでいる。
次に、Ｂは礫層で、下方の礫層Ｄとの間に粘土層Ｃが介在しており、このＣの位置に遮水用パッカー２０が１個（２個でも良い）取り付けられ、その上方の湧水を遮断している。
【００１５】
Ｅは小石層で、この位置に保護パイプ３１の下端があって、ここにストレーナ３２が設置され、スリット３１ａが切られ、その外周に保護パイプ用フィルター３４が巻かれている。
そして、その上部に遮水用パッカー２０がダブルに取り付けられ、上方からの土砂と、上方からの湧水を遮断する作用をなし、最下層であるＥ層のみの汚染されない湧水と、それ以上の層を通ることにより、きれいになった水のみをスリット３１ａから揚水パイプ３５を経て地上の井戸ポンプ３６により揚水するようになっている。
図３の地層の配置は一つの例であって、他に色々な地層の状態があり、現場の状態に応じて保護管３５の深さと遮水用パッカー２０の位置及び数が決定される。
【００１６】
配置された遮水用パッカー２０の水膨潤性不織布２１は、上方が切り込み２６から傘状に開いた耐蝕性金属板２５の内側で膨潤して上方から開き、その上方には孔３７の壁面からの土砂が溜って壁面との間が充填され、半永久的に孔壁と保護パイプ３１との間がシールされる。
【００１７】
【発明の効果】
以上詳細に説明した本発明によれば下記のような効果を奏するものである。
(1) 本発明の水膨潤性不織布は従来の吸水膨張性高分子材料よりも体積膨張倍率は小さいが、その外周に配設された耐蝕性金属板の傘状に開いた内側で保持されて上方が開き、かつ、孔の壁面から落ちる土砂で充填されるので、半永久的に遮水機能が保持される。
【００１８】
(2) 従来に比べ膨張に要する時間が短いので作業の能率が向上する。
【００１９】
(3) 傘状に開いて壁面との間を閉塞すると共に、セメントミルクでも膨張倍率が余り低下しないので、遮水用パッカーの上方にセメントミルクが充填されても遮水機能が保持される。
【図面の簡単な説明】
【図１】本発明の一実施の形態を示す正面図である。
【図２】本発明に使用される部品の展開図で、（ａ）は水膨潤性不織布、（ｂ）は耐蝕性金属板を示す。
【図３】本発明の遮水用パッカーの使用状態の説明図である。
【図４】従来の遮水用パッカーの取付図で、（ａ）は一部を切断した正面図、（ｂ）は孔内に挿入された状態の斜視図である。
【符号の説明】
２０  遮水用パッカー
２１  水膨潤性不織布
２２  取付け幅
２３，２６  切り込み
２４  パイプ
２５  耐蝕性金属板
２８  ステンレス線
Ｐ，Ｌ  間隔
【図１】
0003749980.tif 000002
【図２】
0003749980.tif 000003
【図３】
0003749980.tif 000004
【図４】
0003749980.tif 000005